(57)【要約】【目的】状況に応じて再生の一時停止及び一時停止の解除を行いつつ、コンテンツの内容を把握がしやすい態様で再生を行うことが可能な再生装置を提供する。【構成】コンテンツの再生の一時停止を要求する一時停止要求及び一時停止の解除を要求する停止解除要求を受信する。一時停止要求に応じてコンテンツの再生の一時停止させ、停止解除要求に応じて一時停止を解除させる。その際、コンテンツの再生が一時停止されてからの経過時間に応じて、一時停止を解除して再生を再開する際のコンテンツ内における再生開始位置を決定する。【選択図】図１
2017163461.tif 000002
【特許請求の範囲】
【請求項１】
コンテンツの再生及び一時停止を選択的に行う再生手段と、
コンテンツの再生の一時停止を要求する一時停止要求に応じてコンテンツの再生の一時停止させ、前記一時停止の解除を要求する停止解除要求に応じて一時停止を解除させる再生制御手段と、
前記コンテンツの再生が一時停止されてからの経過時間に応じて、前記一時停止を解除して再生を再開する際の前記コンテンツ内における再生開始位置を決定する決定手段と、
を備えることを特徴とする再生装置。
【請求項２】
前記コンテンツの再生が一時停止されたときの前記コンテンツ内の停止位置の情報を格納する情報格納手段を備え、
前記決定手段は、前記コンテンツ内の前記停止位置よりも手前の位置を、一時停止を解除して再生を再開する際の前記コンテンツ内における再生開始位置として決定することを特徴とする請求項１に記載の再生装置。
【請求項３】
前記コンテンツは文章からなるコンテンツであって、
前記決定手段は、前記停止位置の直前の文節の頭、句読点の次の文字、文の頭、段落の頭、のいずれかを、前記一時停止を解除して再生を再開する際の前記コンテンツ内における再生開始位置として決定することを特徴とする請求項２に記載の再生装置。
【請求項４】
コンテンツの再生を行う再生装置と通信接続され、前記再生装置における再生を制御する制御装置であって、
前記再生装置の外部の状況を示す外部情報を取得する情報取得手段と、
前記外部情報に基づいて、コンテンツの再生の一時停止を要求する一時停止要求及び一時停止の解除を要求する停止解除要求を前記再生装置に供給し、前記再生装置における再生の一時停止及び一時停止の解除を制御する制御手段と、
を有することを特徴とする制御装置。
【請求項５】
地図情報に基づいてナビゲーション音声を出力する音声出力手段を備え、
前記情報取得手段は、前記ナビゲーション音声の出力の開始及び終了のタイミングを示す情報を前記外部情報として取得し、
前記制御手段は、前記ナビゲーション音声の出力開始の第１所定時間前に前記コンテンツの再生を一時停止させ、前記ナビゲーション音声の出力終了から第２所定時間経過後に前記一時停止を解除して前記コンテンツの再生を再開させることを特徴とする請求項４に記載の制御装置。
【請求項６】
前記制御装置は移動体に搭載されており、
前記情報取得手段は、前記移動体の進行方向の情報を前記外部情報として取得し、
前記制御手段は、前記進行方向が所定方向になった時点で前記コンテンツの再生を一時停止させ、前記進行方向が前記所定方向以外の方向になってから所定時間経過後に前記一時停止を解除して前記コンテンツの再生を再開させることを特徴とする請求項４に記載の制御装置。
【請求項７】
前記制御装置は、方向指示器を有する移動体に搭載されており、
前記情報取得手段は、前記方向指示器が指示動作をしたことを示す情報を前記外部情報として取得し、
前記制御手段は、前記方向指示器が指示動作を開始した時点で前記コンテンツの再生を一時停止させ、前記方向指示器が前記指示動作を停止してから所定時間経過後に前記一時停止を解除して前記コンテンツの再生を再開させることを特徴とする請求項４に記載の制御装置。
【請求項８】
前記制御装置は移動体に搭載されており、
前記情報取得手段は、前記移動体の外部の音声情報を前記外部情報として取得し、
前記制御手段は、前記音声情報に基づいて、所定の音声を発する音源が前記移動体に接近した時点で前記コンテンツの再生を一時停止させ、前記音源が前記移動体から離れた時点で前記一時停止を解除して前記コンテンツの再生を再開させることを特徴とする請求項４に記載の制御装置。
【請求項９】
前記制御装置は移動体に搭載されており、
前記情報取得手段は、前記移動体の現在の場所を示す場所情報を前記外部情報として取得し、
前記制御手段は、前記場所情報に基づいて、前記移動体が所定の場所に接近した時点で前記コンテンツの再生を一時停止させ、前記移動体が前記所定の場所から離れた時点で前記一時停止を解除して前記コンテンツの再生を再開させることを特徴とする請求項４に記載の制御装置。
【請求項１０】
コンテンツの再生を行う再生装置と、前記再生装置に通信接続された制御装置と、を含む再生システムであって、
前記制御装置は、前記再生装置における再生の一時停止及び再生の再開のタイミングを制御するタイミング制御手段を備え、
前記再生装置は、前記タイミング制御手段の制御に応じたタイミングで、再生の一時停止及び再生の再開を行う再生手段と、
再生が一時停止されてからの経過時間に応じて、再生の再開における前記コンテンツ内の再生開始位置を決定する決定手段と、
を備えることを特徴とする再生システム。
【請求項１１】
コンテンツを再生する再生装置における再生制御方法であって、
再生制御手段に、コンテンツの再生の一時停止を要求する一時停止要求に応じてコンテンツの再生の一時停止させ、前記一時停止の解除を要求する停止解除要求に応じて一時停止を解除させるステップと、
決定手段に、前記コンテンツの再生が一時停止されてからの経過時間に応じて、前記一時停止を解除して再生を再開する際の前記コンテンツ内における再生開始位置を決定させるステップと、
を実行させることを特徴とする再生制御方法。
【請求項１２】
コンテンツの再生を制御するプログラムであって、
コンピュータに、コンテンツの再生の一時停止を要求する一時停止要求に応じてコンテンツの再生の一時停止させ、前記一時停止の解除を要求する停止解除要求に応じて一時停止を解除させるステップと、
前記コンテンツの再生が一時停止されてからの経過時間に応じて、前記一時停止を解除して再生を再開する際の前記コンテンツ内における再生開始位置を決定させるステップと、
を実行させることを特徴とするプログラム。
【請求項１３】
再生装置が行うコンテンツの再生を制御する制御装置における制御方法であって、
情報取得手段に、前記再生装置の外部の状況を示す外部情報を取得させるステップと、
制御手段に、前記外部情報に基づいて、コンテンツの再生の一時停止を要求する一時停止要求及び一時停止の解除を要求する停止解除要求を前記再生装置に供給し、前記再生装置における再生の一時停止及び一時停止の解除を制御させるステップと、
を実行させることを特徴とする制御方法。
【請求項１４】
再生装置におけるコンテンツの再生を制御するプログラムであって、
コンピュータに、前記再生装置の外部の状況を示す外部情報を取得させるステップと、
前記外部情報に基づいて、コンテンツの再生の一時停止を要求する一時停止要求及び一時停止の解除を要求する停止解除要求を前記再生装置に供給し、前記再生装置における再生の一時停止及び一時停止の解除を制御させるステップと、
を実行させることを特徴とするプログラム。
【発明の詳細な説明】
【技術分野】
【０００１】
本発明は、コンテンツを再生する再生装置に関する。
【背景技術】
【０００２】
電子書籍等の文字情報を含むコンテンツを再生するアプリケーションプログラム（以下、単にアプリケーションと称する）において、端末装置の音声出力機能を用いてコンテンツの内容を音声出力する音声読み上げ機能を有するアプリケーションが知られている。また、端末装置の通信機能を用いて、音声データを他の装置に送信することにより、他の装置のスピーカを通して音声を出力することが可能である。従って、例えば自動車に搭載された車載装置のスピーカを用いて音声読み上げ機能の音声を出力すれば、ユーザは端末装置を操作することなく、コンテンツを楽しむことができる。
【０００３】
コンテンツを再生しつつ自動車の運転を行う場合、ユーザが運転動作に集中すべき状況になったときには、安全のため、コンテンツの再生を一時停止することが望ましい。そこで、映像データを含むコンテンツを車載装置に配信する配信システムにおいて、車両の現在位置、交通情報、気象情報、時刻情報等の情報に基づいて車速の閾値を決定し、車速が当該閾値を超えた場合には映像データの配信を停止するシステムが考えられた（例えば、特許文献１）。
【先行技術文献】
【特許文献】
【０００４】
【特許文献１】特開２０１３−２０７４８９号公報
【発明の概要】
【発明が解決しようとする課題】
【０００５】
上記した従来技術のようにコンテンツの再生を自動的に一時停止した後、一時停止を解除してコンテンツの再生を再開する場合、コンテンツ内の一時停止が行われた位置から再生が再開される。従って、一時停止した際の停止位置によっては、中途半端な位置から再生が再開されてしまうという問題が生じる。特に、再生の一時停止から再開までの時間が長い場合、停止位置から再生を再開しても、コンテンツの内容が分からなくなってしまう虞がある。
【０００６】
本発明が解決しようとする課題としては、コンテンツの再生を一時停止した後に一時停止を解除して再生を再開する際、コンテンツの内容の把握が困難な位置から再生が開始される場合があるという問題が一例として挙げられる。
【課題を解決するための手段】
【０００７】
請求項１に記載の発明は、コンテンツの再生及び一時停止を選択的に行う再生手段と、コンテンツの再生の一時停止を要求する一時停止要求に応じてコンテンツの再生の一時停止させ、前記一時停止の解除を要求する停止解除要求に応じて一時停止を解除させる再生制御手段と、前記コンテンツの再生が一時停止されてからの経過時間に応じて、前記一時停止を解除して再生を再開する際の前記コンテンツ内における再生開始位置を決定する決定手段と、を備えることを特徴とする。
【０００８】
請求項４に記載の発明は、コンテンツの再生を行う再生装置と通信接続され、前記再生装置における再生を制御する制御装置であって、前記再生装置の外部の状況を示す外部情報を取得する情報取得手段と、前記外部情報に基づいて、コンテンツの再生の一時停止を要求する一時停止要求及び一時停止の解除を要求する停止解除要求を前記再生装置に供給し、前記再生装置における再生の一時停止及び一時停止の解除を制御する制御手段と、を有することを特徴とする。
【０００９】
請求項１０に記載の発明は、コンテンツの再生を行う再生装置と、前記再生装置に通信接続された制御装置と、を含む再生システムであって、前記制御装置は、前記再生装置における再生の一時停止及び再生の再開のタイミングを制御するタイミング制御手段を備え、前記再生装置は、前記タイミング制御手段の制御に応じたタイミングで、再生の一時停止及び再生の再開を行う再生手段と、再生が一時停止されてからの経過時間に応じて、再生の再開における前記コンテンツ内の再生開始位置を決定する決定手段と、を備えることを特徴とする。
【００１０】
請求項１１に記載の発明は、コンテンツを再生する再生装置における再生制御方法であって、再生制御手段に、コンテンツの再生の一時停止を要求する一時停止要求に応じてコンテンツの再生の一時停止させ、前記一時停止の解除を要求する停止解除要求に応じて一時停止を解除させるステップと、決定手段に、前記コンテンツの再生が一時停止されてからの経過時間に応じて、前記一時停止を解除して再生を再開する際の前記コンテンツ内における再生開始位置を決定させるステップと、を実行させることを特徴とする。
【００１１】
請求項１２に記載の発明は、コンテンツの再生を制御するプログラムであって、コンピュータに、コンテンツの再生の一時停止を要求する一時停止要求に応じてコンテンツの再生の一時停止させ、前記一時停止の解除を要求する停止解除要求に応じて一時停止を解除させるステップと、前記コンテンツの再生が一時停止されてからの経過時間に応じて、前記一時停止を解除して再生を再開する際の前記コンテンツ内における再生開始位置を決定させるステップと、を実行させることを特徴とする。
【００１２】
請求項１３に記載の発明は、再生装置が行うコンテンツの再生を制御する制御装置における制御方法であって、情報取得手段に、前記再生装置の外部の状況を示す外部情報を取得させるステップと、制御手段に、前記外部情報に基づいて、コンテンツの再生の一時停止を要求する一時停止要求及び一時停止の解除を要求する停止解除要求を前記再生装置に供給し、前記再生装置における再生の一時停止及び一時停止の解除を制御させるステップと、を実行させることを特徴とする。
【００１３】
請求項１４に記載の発明は、再生装置におけるコンテンツの再生を制御するプログラムであって、コンピュータに、前記再生装置の外部の状況を示す外部情報を取得させるステップと、前記外部情報に基づいて、コンテンツの再生の一時停止を要求する一時停止要求及び一時停止の解除を要求する停止解除要求を前記再生装置に供給し、前記再生装置における再生の一時停止及び一時停止の解除を制御させるステップと、を実行させることを特徴とする。
【図面の簡単な説明】
【００１４】
【図１】本発明の再生装置を含む再生システムを示すブロック図である。
【図２】本発明の再生装置の機能ブロック図である。
【図３】位置調整テーブルの例を示す図である。
【図４】車載装置の制御部の機能ブロック図である。
【図５】条件テーブルの例を示す図である。
【図６】再生制御処理の動作ルーチンを示すフローチャートである。
【図７】再生停止制御処理の動作を示すシーケンス図である。
【図８】再生再開制御処理の動作を示すシーケンス図である。
【発明を実施するための形態】
【００１５】
以下、本発明の実施例である再生装置１０を含む再生システム１００について、図面を参照して説明する。
【００１６】
再生装置１０は、電子書籍等の文字データを含み且つページの遷移を伴うコンテンツを再生するアプリケーションプログラム（以下、コンテンツ再生アプリケーションと称する）を実行してコンテンツの再生を行う端末装置であり、スマートフォンやタブレット端末等の端末装置から構成されている。また、再生装置１０は、例えばＷｉｆｉ（登録商標）やＢｌｕｅｔｏｏｔｈ（登録商標）等の通信規格に従って、通信パケットの送受信を行う機能を有する。本実施例では、再生装置１０は、自動車等の移動体の車内に保持された状態で車載装置２０と無線通信路ＷＬを介して通信接続され、車載装置２０との間で各種指令やデータの送受信を行う。
【００１７】
再生装置１０は、通信部１１及び制御部１２を有する。制御部１２は、連携アプリケーション機能部１３及び再生アプリケーション機能部１４を含む。
【００１８】
通信部１１は、無線通信により車載装置２０との間で種々の指令やデータの送受信を行う。例えば、通信部１１は、コンテンツの再生の一時停止を要求する一時停止要求ＳＲ及び一時停止の解除を要求する停止解除要求ＣＲを、車載装置２０から受信する。また、通信部１１は、コンテンツ再生時の音声データを車載装置２０に送信する。
【００１９】
制御部１２は、例えばＣＰＵ（Central Processing Unit）によって構成され、再生装置１０の各部の制御を行う。所定のプログラムの実行により、制御部１２には連携アプリケーション機能部１３及び再生アプリケーション機能部１４が形成される。
【００２０】
連携アプリケーション機能部１３は、連携用アプリケーションプログラムの実行により形成され、車載装置２０からの指示に応じて再生アプリケーション機能部１４におけるコンテンツ再生の制御を行う。
【００２１】
図２に示すように、連携アプリケーション機能部１３は、情報取得部３１、再生位置決定部３２、再生制御部３３及び情報格納部３４を有する。
【００２２】
情報取得部３１は、通信部１１が車載装置から受信した一時停止要求ＳＲ及び停止解除要求ＣＲを取得する。また、情報取得部３１は、再生アプリケーション機能部１４がコンテンツの再生を一時停止したときのコンテンツ内の停止位置の情報である停止位置情報ＳＰと、コンテンツの再生を一時停止してからの経過時間を示す経過時間情報ＥＴとを再生アプリケーション機能部１３から取得する。
【００２３】
再生位置決定部３２は、停止位置情報ＳＰ及び経過時間情報ＥＴに基づいて、再生アプリケーション機能部１４が一時停止を解除してコンテンツの再生を再開する際のコンテンツ内における再生開始位置を決定する。
【００２４】
再生位置決定部３２は、図３に示す位置調整テーブルＰＴに従って再生開始位置を決定する。例えば、コンテンツの再生を一時停止してから５秒以内である場合、停止位置が属する文節の最初の文字（すなわち、文節の頭）を再生開始位置として決定する。また、コンテンツの再生を一時停止してから５〜１５秒である場合、停止位置の直前の句読点の次の文字を再生開始位置として決定する。また、コンテンツの再生を一時停止してから１５〜６０秒である場合、停止位置が属する文の文頭を再生開始位置として決定する。また、コンテンツの再生を一時停止してから６０秒以上が経過している場合、停止位置が属する段落の頭を再生開始位置として決定する。
【００２５】
すなわち、再生位置決定部３２は、停止位置よりも手前の区切りの良い位置を再生開始位置として決定する。そして、再生位置決定部３２は、コンテンツの再生を一時停止してからの経過時間が長いほど、大きな区切りまで手前に遡った位置を再生開始位置とする。
【００２６】
再生位置決定部３２は、決定した再生開始位置を示す開始位置情報ＳＬを再生制御部３３に供給する。
【００２７】
再生制御部３３は、再生アプリケーション機能部１４にコンテンツの再生を一時停止させる制御及び一時停止を解除して再生を再開させる制御を行う。例えば、コンテンツの再生中に情報取得部３１が一時停止要求ＳＲを取得すると、再生制御部３３は、停止指示ＰＳを再生アプリケーション機能部１４に供給し、コンテンツの再生を一時停止させる。
【００２８】
また、コンテンツの再生の一時停止中に情報取得部３１が停止解除要求ＣＲを取得すると、再生制御部３３は、開始位置情報ＳＬとともに再生再開指示ＰＲを再生アプリケーション機能部１４に供給し、コンテンツの再生を再開させる。
【００２９】
情報格納部３４は、情報取得部３１が取得した停止位置情報ＳＰ及び経過時間情報ＥＴを格納する。また、情報格納部３４は、図３に示す位置調整テーブルＰＴを格納する。
【００３０】
再生アプリケーション機能部１４は、ページ切替部４１、音声再生部４２、コンテンツ格納部４３及び再生情報格納部４４を有する。
【００３１】
ページ切替部４１は、コンテンツ格納部４３に格納されているコンテンツのページ切替を行う。本実施例において、ページ切替部４１は、音声再生部４２による音声再生のタイミングに合わせてページ切替を行う。また、ページ切替部４１は、ユーザによる操作を受けてページ切替を行うことが可能に構成されている。
【００３２】
音声再生部４２は、コンテンツ格納部４３にコンテンツと対応付けて格納されている音声データを読み出し、音声データの再生（音声読み上げ）を行う。音声再生部４２は、再生中の音声データ（以下、読み上げ音声データと称する）を通信部１１に供給し、通信部１１は読み上げ音声データを車載装置２０に送信する。
【００３３】
ページ切替部４１及び音声再生部４２は、本発明の再生手段の一例にあたる。以下の説明では、ページ切替部４１によるページの切り替え及び音声再生部４２による音声データの再生を総称して、単に「コンテンツの再生」と称する。
【００３４】
ページ切替部４１及び音声再生部４２は、連携アプリケーション機能部１３から供給された停止指示ＰＳに応じて、コンテンツの再生を停止する。また、ページ切替部４１及び音声再生部４２は、連携アプリケーション機能部１３から供給された再生再開指示ＰＲに応じて、一時停止を解除してコンテンツの再生を再開する。その際、連携アプリケーション機能部１３から供給された開始位置情報ＳＬにおいて示される再生開始位置からコンテンツの再生を再開する。
【００３５】
コンテンツ格納部４３は、コンテンツ格納部４３は、図示せぬコンテンツサーバからダウンロードしたコンテンツを格納する。また、コンテンツ格納部４３は、コンテンツ内の文字データに対応する音声データを格納する。
【００３６】
再生情報格納部４４は、ページ切替部４１及び音声再生部４２が再生しているコンテンツのコンテンツ内における再生位置の情報を格納する。また、コンテンツの再生が途中で停止された場合には、停止位置の情報を停止位置情報として格納する。また、ユーザがコンテンツ内の所望の位置を次回のコンテンツの再生における再生開始位置として指定した場合、かかる位置の情報を指定位置情報として格納する。
【００３７】
再び図１を参照すると、車載装置２０は、通信部２１、制御部２２、音声出力部２３及び表示部２４を有する。車載装置２０は、再生装置１０と通信接続され、再生装置１０におけるコンテンツの再生の一時停止及び再生の再開を制御する。すなわち、車載装置２０は、本発明の制御装置の一例にあたる。
【００３８】
車載装置２０は、例えば自動車等の車両に搭載されたカーナビゲーション装置であり、ナビゲーション機能による地図情報の表示及びナビゲーション音声の出力を行う。例えば、車載装置２０は、ＧＰＳ（Global Positioning System）により車載装置２０を搭載する車両（以下、搭載車両と称する）の現在位置の情報を検知し、地図データに基づいて地図情報を表示部２４に表示させ、ナビゲーション音声を音声出力部２３に出力させる。また、車載装置２０は、再生装置１０から無線通信路ＷＬを介して読み上げ音声データを取得し、音声を出力する。
【００３９】
通信部２１は、無線通信路ＷＬを介して再生装置１０との間で種々の指令やデータの送受信を行う。例えば、通信部２１は、一時停止要求ＳＲ及び停止解除要求ＣＲを再生装置１０に送信する。また、通信部２１は、再生装置１０から読み上げ音声データを受信する。
【００４０】
制御部２２は、例えばＣＰＵによって構成され、図４に示すように、ナビ情報取得部５１、車両情報取得部５２、音声検出部５３、操作検出部５４、情報格納部５５、状況判定部５６、及びタイミング制御部５７を含む。
【００４１】
ナビ情報取得部５１は、図示せぬナビゲーション機能部から、ナビゲーション音声が出力されるタイミングを示すタイミング情報を取得する。また、ナビゲーション機能による現在地の情報及び地図情報に基づいて、高速道路の料金所等の所定の場所が接近していることを示す接近情報等のナビゲーション情報を取得する。
【００４２】
車両情報取得部５２は、搭載車両の車速やシフトポジションの情報及びウインカー（すなわち、方向指示器）の動作の情報を含む車両情報を取得する。
【００４３】
音声検出部５３は、例えば集音マイク及び音声認識装置から構成され、搭載車両の内部及び外部における音声を検出する。例えば、音声検出部５３は、搭載車両の外部における緊急車両のサイレン音や、搭載車両の内部における電話の着信音や通話音声を検出する。
【００４４】
操作検出部５４は、ユーザにより車載装置２０の操作があったことを検出する。例えば、操作検出部５４は、表示部２４において現在地を示すナビゲーション画面（初期画面と称する）を表示中に、タッチパネルやハードキーの押下があったことを検知することにより、ユーザによる操作があったことを検出する。
【００４５】
また、操作検出部５４は、操作の終了を検出する。例えば、操作を終了すると初期画面へと画面が遷移するため、操作検出部５４は、初期画面が表示され且つ一定時間にわたって操作がないことを検知することにより、操作の終了を検出する。
【００４６】
情報格納部５５は、コンテンツの再生の一時停止及び再生の再開（すなわち、一時停止の解除）を行う条件を示す条件テーブルＣＴを格納する。図５は、条件テーブルＣＴの例を示す図である。
【００４７】
条件テーブルＣＴでは、ナビゲーション音声の出力が一時停止の条件として設定され、車載装置２０においてナビゲーション音声が出力される時点の３秒前が再生を一時停止する基準タイミング、ナビゲーション音声の出力が終了してから所定時間経過後（例えば、５〜１５秒後）が再生を再開する基準タイミングとして設定されている。なお上記所定時間は、ナビゲーション音声の内容に従って設定されている。例えば、ナビゲーション音声が「３００ｍ先、右方向です」のように目的場所の位置を説明する内容である場合には、上記所定時間は５秒となる。一方、ナビゲーション音声が「この交差点を右方向です」のように運転者に運転動作（例えば右折）を促す内容である場合には、上記所定時間は１５秒となる。
【００４８】
また、高速道路の料金所の接近が一時停止の条件として設定され、料金所が所定距離に接近していることを検知した瞬間が再生を一時停止する基準タイミング、料金所の通過を検知した瞬間が再生を再開する基準タイミングとして設定されている。
【００４９】
また、搭載車両の後退が一時停止の条件として設定され、搭載車両においてシフトポジションがバックになったことを検知した瞬間が再生を一時停止する基準タイミング、シフトポジションがバック以外になったことを検知してから１０秒後が再生を再開する基準タイミングとして設定されている。なお、駐車を行う状況においては、頻繁に切り返しを行って後退と前進とを繰り返す場合があるため、バック以外になった瞬間ではなく、１０秒の経過を基準タイミングとしている。
【００５０】
また、車線変更又は右左折が一時停止の条件として設定され、ウインカーの指示動作を検知した瞬間が再生を一時停止する基準タイミング、ウインカーが戻る（すなわち、指示動作を止める）のを検知してから３秒後が再生を再開する基準タイミングとして設定されている。
【００５１】
また、緊急車両の接近が一時停止の条件として設定され、緊急車両のサイレン音を検知した瞬間が再生を一時停止する基準タイミング、緊急車両とすれ違ったことを検知した瞬間が再生を再開する基準タイミングとして設定されている。
【００５２】
また、搭載車両の内部において電話の着信があったことが一時停止の条件として設定され、電話の着信を検知した瞬間が再生を一時停止する基準タイミング、通話が終了した瞬間又は呼び出しが終了して接続が切断された瞬間が再生を再開する基準タイミングとして設定されている。
【００５３】
また、車載器２０の操作が一時停止の条件として設定され、車載器２０の操作を検知した瞬間が再生を一時停止する基準タイミング、操作終了から５秒が経過した時点が再生を再開する基準タイミングとして設定されている。
【００５４】
状況判定部５６は、ナビ情報取得部５１が取得したナビ情報、車両情報取得部５２が取得した車両情報、音声検出部５３が検出した音声情報、及び操作検出部５４が検出した操作情報を含む再生装置１０の外部の情報（以下、これらをまとめて外部情報ＥＳと称する）に基づいて、条件テーブルＣＴに従って、コンテンツの再生を一時停止するべき状況であるか、コンテンツの再生を再開すべき状況であるかを判定する。
【００５５】
例えば、状況判定部５６は、ナビ情報取得部５１が取得したナビ情報に基づいて、ナビゲーション音声が出力される時点の３秒前であることを検知すると、コンテンツの再生を一時停止するべきであると判定する。そして、状況判定部５６は、ナビゲーション音声の出力が終了したことを検知すると、その所定時間経過後（５〜１５秒後）にコンテンツの再生を再開すべきであると判定する。
【００５６】
また、状況判定部５６は、ナビ情報取得部５１が取得したナビ情報に基づいて、高速道路の料金所が所定距離に接近したことを検知すると、コンテンツの再生を一時停止するべきであると判定する。そして、状況判定部５６は、料金所を通過したことを検知すると、コンテンツの再生を再開すべきであると判定する。
【００５７】
また、状況判定部５６は、車両情報取得部５２が取得した車両情報に基づいて、搭載車両のシフトポジションがバックになったことを検知すると、コンテンツの再生を一時停止するべきであると判定する。そして、状況判定部５６は、シフトポジションがバック以外になったことを検知してから１０秒が経過すると、コンテンツの再生を再開すべきであると判定する。
【００５８】
また、状況判定部５６は、車両情報取得部５２が取得した車両情報に基づいて、搭載車両のウインカーが作動したことを検知すると、コンテンツの再生を一時停止するべきであると判定する。そして、状況判定部５６は、ウインカーが指示動作を止めたことを検知してから３秒が経過すると、コンテンツの再生を再開すべきであると判定する。
【００５９】
また、状況判定部５６は、音声検出部５３が検出した音声情報に基づいて、緊急車両のサイレン音を検知すると、コンテンツの再生を一時停止するべきであると判定する。そして、状況判定部５６は、緊急車両とすれ違ったことを検知すると、コンテンツの再生を再開すべきであると判定する。例えば、状況判定部５６は、サイレン音の音量の変化や、ドップラー効果に基づく相対速度に応じた周波数の変化に基づいて、緊急車両とすれ違ったことを検知する。
【００６０】
また、状況判定部５６は、音声検出部５３が検出した音声情報に基づいて、電話の着信音を検知すると、コンテンツの再生を一時停止すべきであると判定する。そして、状況判定部５６は、通話が終了したこと又は通話がなされずに呼び出しが終了したことを検知すると、コンテンツの再生を再開すべきであると判定する。
【００６１】
また、状況判定部５６は、操作検出部５４が検出した情報に基づいて、車載器２０の操作が行われたことを検知すると、コンテンツの再生を一時停止すべきであると判定する。そして、状況判定部５６は、操作終了から５秒が経過したことを検知すると、コンテンツの再生を再開すべきであると判定する。
【００６２】
タイミング制御部５７は、再生装置１０におけるコンテンツの再生の一時停止及び再生の再開のタイミングを制御する処理を行う。タイミング制御部５７は、コンテンツの再生を一時停止するべき状況であると状況判定部５６において判定された場合、一時停止要求ＳＲを通信部２１を介して再生装置１０に送信する。一方、コンテンツの再生を再開すべき状況であると状況判定部５６において判定された場合、停止解除要求ＣＲを通信部２１を介して再生装置１０に送信する。
【００６３】
再び図１を参照すると、音声出力部２３は、スピーカ等から構成され、ナビゲーション音声の出力を行う。また、音声出力部２３は、再生装置１０から読み上げ音声データが供給された場合、読み上げ音声データの音声を出力する。
【００６４】
表示部２４は、例えばタッチパネル機能を搭載した液晶画面から構成され、ナビゲーション機能部５１の制御に応じて、地図情報を含むナビゲーション画面の表示を行う。
【００６５】
次に、本実施例の再生装置１０及び車載装置２０が行う再生制御処理について、図６〜図８を参照して説明する。以下の説明では、再生装置１０においてコンテンツ再生アプリケーションが起動され、コンテンツの再生が行われている状態を前提として再生制御処理の動作について説明する。
【００６６】
図６は、再生制御処理のルーチンを示すフローチャートである。車載装置２０の状況判定部５６は、ナビ情報取得部５１、車両情報取得部５２、音声検出部５３及び操作検出部５４から、外部情報ＥＳ（ナビ情報、車両情報、音声情報、操作情報）を取得する（ステップＳ１０１）。
【００６７】
状況判定部５６は、取得した外部情報ＥＳに基づいて、情報格納部５５に格納されている条件テーブルＣＴに従って、コンテンツの再生を一時停止すべき状況になったか否かを判定する（ステップＳ１０２）。コンテンツの再生を一時停止すべき状況になっていないと判定すると、ステップＳ１０１に戻って、再び外部情報ＥＳを取得する処理を繰り返す。
【００６８】
一方、コンテンツの再生を一時停止すべき状況になったと判定すると、ステップＳ１０３の再生停止制御処理に移行する。
【００６９】
図７は、再生停止制御処理の動作を示すシーケンス図である。車載装置２０のタイミング制御部５７は、一時停止要求ＳＲを生成し、通信部２１に供給する。通信部２１は、一時停止要求ＳＲを再生装置１０に送信する（ステップＳ２０１）。
【００７０】
再生装置１０の通信部１１は、一時停止要求ＳＲを受信し、連携アプリケーション機能部１３に供給する。連携アプリケーション機能部１３の情報取得部３１は、一時停止要求ＳＲを取得する。この一時停止要求ＳＲの取得に応じて、再生制御部３３は、停止指示ＰＳを再生アプリケーション機能部１４に供給する（ステップＳ２０２）。
【００７１】
再生アプリケーション機能部１４のページ切替部４１及び音声再生部４２は、コンテンツの再生を一時停止する（ステップＳ２０３）。
【００７２】
再び図６を参照すると、コンテンツの再生が一時停止している状態において、車載装置２０の状況判定部５６は、ナビ情報取得部５１、車両情報取得部５２、音声検出部５３及び操作検出部５４から、外部情報ＥＳ（ナビ情報、車両情報、音声情報、操作情報）を取得する（ステップＳ１０４）。
【００７３】
状況判定部５６は、取得した外部情報ＥＳに基づいて、情報格納部５５に格納されている条件テーブルＣＴに従って、コンテンツの再生を再開すべき状況になったか否かを判定する（ステップＳ１０５）。コンテンツの再生を再開すべき状況になっていないと判定すると、ステップＳ１０４に戻って、再び外部情報ＥＳを取得する処理を繰り返す。
【００７４】
一方、コンテンツの再生を再開すべき状況になったと判定すると、ステップＳ１０６の再生再開制御処理に移行する。
【００７５】
図８は、再生再開制御処理の動作を示すシーケンス図である。車載装置２０のタイミング制御部５７は、停止解除要求ＣＲを生成し、通信部２１に供給する。通信部２１は、停止解除要求ＣＲを再生装置１０に送信する（ステップＳ３０１）。
【００７６】
再生装置１０の通信部１１は、停止解除要求ＣＲを受信し、連携アプリケーション機能部１３に供給する。連携アプリケーション機能部１３の情報取得部３１は、停止解除要求ＣＲを取得する。
【００７７】
再生位置決定部３２は、停止位置情報ＳＰ及び経過時間情報ＥＴに基づいて、再生アプリケーション機能部１４が一時停止を解除してコンテンツの再生を再開する際のコンテンツ内における再生開始位置を決定する。再生位置決定部３２は、コンテンツの再生を一時停止してからの経過時間が５秒以内である場合は停止位置が属する文節の頭、経過時間が５〜１５秒である場合は停止位置の直前の句読点の次の文字、経過時間が１５〜６０秒である場合は停止位置が属する文の文頭、経過時間が６０秒以上である場合は停止位置が属する段落の頭を、夫々再生開始位置として決定する。
【００７８】
再生制御部３３は、再生開始位置を示す開始位置情報ＳＬと再生再開指示ＰＲとを、再生アプリケーション機能部１４に供給する（ステップＳ３０２）。
【００７９】
再生アプリケーション機能部１４のページ切替部４１及び音声再生部４２は、一時停止を解除して、開始位置情報ＳＬに示される再生開始位置から、コンテンツの再生を再開する（ステップＳ３０３）。
【００８０】
以上のように本実施例の再生装置１０は、コンテンツの再生が一時停止されてからの経過時間に応じて、一時停止を解除して再生を再開する際のコンテンツ内の再生開始位置を決定する。その際、停止位置よりも前の区切りの良い位置を再生開始位置として決定し、コンテンツの再生を一時停止してからの経過時間が長いほど、大きな区切りまで停止位置から遡った位置を再生開始位置とする。
【００８１】
従って、コンテンツの再生の一時停止が文の途中でなされた場合であっても、区切りの良い位置から再生が再開される。よって、状況に応じて再生の一時停止及び再開を行いつつ、コンテンツの内容を把握がしやすい態様で再生を行うことが可能となる。
【００８２】
また、本実施例の車載装置２０は、外部情報ＥＳに基づいて、再生装置１０におけるコンテンツの再生の一時停止及び再生の再開の制御を行う。従って、例えば運転動作等の動作にユーザが集中すべき状況が生じた場合にはコンテンツの再生を一時停止させ、当該状況から脱した場合にはコンテンツの再生を再開させることにより、状況に応じたコンテンツの再生及び一時停止を行うことが可能となる。
【００８３】
なお、本発明の実施形態は、上記実施例で示したものに限られない。例えば、上記実施例ではコンテンツ再生アプリケーションが電子書籍等のコンテンツを再生するアプリケーションである場合を例として説明したが、コンテンツの内容は電子書籍に限られない。コンテンツ再生アプリケーションは、テキスト、画像、音楽、映像等の何らかのコンテンツを再生するアプリケーションであれば良い。例えば、コンテンツの内容が音楽である場合には曲の冒頭に戻って再生を行い、コンテンツの内容が映画等の映像である場合にはチャプターの冒頭に戻って再生を行うことにより、コンテンツの内容を把握がしやすい態様で再生を行うことが可能である。
【００８４】
また、上記実施例では、コンテンツの再生を一時停止してからの経過時間が５秒以内である場合は停止位置が属する文節の頭、経過時間が５〜１５秒である場合は停止位置の直前の句読点の次の文字、経過時間が１５〜６０秒である場合は停止位置が属する文の文頭、経過時間が６０秒以上である場合は停止位置が属する段落の頭を再生開始位置とする例について説明した。しかし、再生開始位置はこれらに限らず、例えば章の冒頭を再生開始位置とするものであっても良い。要するに、本発明の再生装置は、停止位置よりも手前の区切りの良い位置を再生開始位置として決定するものであれば良い。
【００８５】
また、ナビゲーション音声が出力される時点の３秒前であることを検知してコンテンツの再生を一時停止する場合、ナビゲーション音声が出力される時点の３秒前の時点で文節の途中を再生中であり且つ３秒以内に文節の終わりまで再生が可能である場合には、文節の終わりまで再生を行ってから再生を一時停止する構成としても良い。これにより、再生開始位置のみならず、一時停止の停止位置を区切りの良い位置とすることが可能となる。
【００８６】
また、コンテンツの再生の一時停止の条件は、条件テーブルＣＴにおいて示したものに限定されない。例えば、上記実施例では、高速道路の料金所が接近したのを検知したことをコンテンツの再生の一時停止の条件とする例について説明した。しかし、車両がＥＴＣを搭載している場合には、このような条件を無効化し、料金所が接近した場合でもコンテンツの一時停止を行わないこととしても良い。また、高速道路の料金所に限らず、予め登録した場所が接近した場合にはコンテンツの再生を一時停止するようにしても良い。
【００８７】
また、上記実施例では、ウインカーの指示動作を検知すると再生を一時停止し、ウインカーが指示動作を止めるのを検知してから３秒後に再生を再開する例について説明した。しかし、ウインカーの指示動作が続く場合であっても、信号待ちによりすぐには運転動作を要しないような場合には、ウインカーの指示動作の停止を待たずにコンテンツの再生を再開する構成としても良い。例えば、搭載車両が前方車両の状況を認識可能なカメラ及び画像認識手段を備えているような場合には、車速情報及び画像認識結果に基づいて、停車した状態がしばらく続くと判定した場合に、コンテンツの再生を再開させることが可能である。
【００８８】
また上記実施例では、再生装置１０と車載装置２０とが別装置であって、車載装置２０が通信手段を用いて一時停止要求ＳＲ及び停止解除要求ＣＲを再生装置１０に供給することによって、再生装置１０におけるコンテンツの再生を制御する例について説明した。しかし、車載装置２０が単一の装置としてコンテンツの再生及び再生の制御のいずれも行う構成としても良い。例えば、車載装置２０が再生位置決定部３２、再生制御部３３、情報格納部３４、再生部４１、音声再生部４２、コンテンツ格納部４３及び再生情報格納部４４を備え、図６〜図８に示した一連の処理を車載装置２０の内部において実行する構成とすることが可能である。
【００８９】
また、上記実施例で説明した一連の処理は、例えばＲＯＭなどの記録媒体に格納されたプログラムに従ったコンピュータ処理により行うことができる。
【符号の説明】
【００９０】
１０  再生装置
１１  通信部
１２  制御部
１３  連携アプリケーション機能部
１４  再生アプリケーション機能部
２０  車載装置
２１  通信部
２２  制御部
２３  音声出力部
２４  表示部
３１  情報取得部
３２  再生位置決定部
３３  再生制御部
３４  情報格納部
４１  ページ切替部
４２  音声再生部
４３  コンテンツ格納部
４４  再生情報格納部
５１  ナビ情報取得部
５２  車両情報取得部
５３  音声検出部
５４  操作検出部
５５  情報格納部
５６  状況判定部
５７  タイミング制御部
【図１】
2017163461.tif 000003
【図２】
2017163461.tif 000004
【図３】
2017163461.tif 000005
【図４】
2017163461.tif 000006
【図５】
2017163461.tif 000007
【図６】
2017163461.tif 000008
【図７】
2017163461.tif 000009
【図８】
2017163461.tif 000010